(57)【要約】【課題】外壁目地を、テープ状の止水材を用い、屋外側からのアクセスによって施工容易に止水することができる、外壁目地の止水構造及びその形成方法を提供する。【解決手段】テープ状の止水材８が、屋外側に開く横断面コ字状にされて、外壁の目地内空間部２を長手方向に延びるように設置され、該テープ状止水材８の中間辺部を挟む各側辺部８ｂ，８ｂが目地内対向面部６，６に粘着接合されている。その形成には、隙間で開く治具３や、剥がし操作部付き離型紙を付けたテープ状止水材や、接触しただけでは粘着せず押し付けて密着させることで粘着する粘着面を備えたテープ状止水材を用いるとよい。【選択図】      図１
2006009285.tif 000002
【特許請求の範囲】
【請求項１】
テープ状の止水材が、屋外側に開く横断面コ字状にされて、外壁の目地内空間部を長手方向に延びるように設置され、該テープ状止水材の中間辺部を挟む各側辺部が目地内空間部を挟む各対向面部に粘着接合されていることを特徴とする、外壁目地の止水構造。
【請求項２】
請求項１に記載の外壁目地の止水構造を形成する方法であって、
治具として、
目地内空間部を挟む両対向面部に対向する対の押し用部品と、
該対の押し用部品を接近離反可能に連結するピンと、
前記押し用部品間に進出して押し用部品を離反方向に相対変位させる開き用部品と
が備えられ、
前記ピンに開き用部品が回動自在に連結され、あるいは、連結できるようになされており、
開き用部品は、押し用部品間に進出する開き用本体部と、開き用本体部を押し用部品間に進出させるテコレバー部とを備え、該テコレバー部を前記ピンを中心に回動操作することで、開き用本体部が押し用部品間に進出して押し用部品が離反方向に相対変位するようになされている、隙間で開く治具を用い、
テープ状止水材を屋外側に開くコ字状にして外壁の目地内空間部に設置した後、
前記目地内空間部のテープ状止水材の両側辺部間に前記対の押し用部品を差し込み、しかる後、開き用部品のテコレバー部を回動操作し、開き用本体部を押し用部品間に進出させることで、テープ状止水材の両側辺部の粘着面を外壁の目地内空間部を挟む両対向面部に密着させて粘着接合することを特徴とする形成方法。
【請求項３】
請求項１に記載の外壁目地の止水構造を形成する方法、又は、請求項２に記載の方法であって、
テープ状止水材として、目地内対向面部と対向することとなる両側辺部に備えられた粘着面に離型紙が取り付けられ、該離型紙が、該側辺部の幅方向の内方側において折り返されて外方側に導出された剥がし操作部を備えたものを用い、
該テープ状止水材を屋外側に開くコ字状にして外壁の目地内空間部に設置した後、屋外側から剥がし操作部を引いて離型紙を取り外し、しかる後、
テープ状止水材の両側辺部の粘着面を外壁の目地内空間部を挟む両対向面部に密着させて粘着接合することを特徴とする形成方法。
【請求項４】
請求項１に記載の外壁目地の止水構造を形成する方法、又は、請求項２に記載の方法であって、
テープ状止水材として、目地内対向面部と対向することとなる両側辺部に、接触しただけでは粘着せず押し付けて密着させることで粘着する粘着面が備えられたものを用い、
該テープ状止水材を屋外側に開くコ字状にして外壁の目地内空間部に設置した後、テープ状止水材の両側辺部の粘着面を外壁の目地内空間部を挟む両対向面部に押し付け密着させて粘着接合することを特徴とする形成方法。
【発明の詳細な説明】
【技術分野】
【０００１】
本発明は、外壁目地の止水構造及びその形成方法に関する。
【背景技術】
【０００２】
外壁目地の止水構造として、テープ状の止水材を用い、該テープ状止水材の幅方向の一方の端部を、隣り合う一方の外壁パネルの外壁面材の背面側に粘着接合すると共に、テープ状止水材の幅方向のもう一方の端部を、隣り合うもう一方の外壁パネルの外壁面材の背面側に粘着接合して、外壁目地をテープ状止水材で止水するようにしたものは考えられている。
【発明の開示】
【発明が解決しようとする課題】
【０００３】
しかしながら、テープ状の止水材の幅方向の両端を、屋外側からのアクセスによって、隣り合う外壁パネルの外壁面材の背面側に粘着接合することは、必ずしも容易ではない。
【０００４】
本発明は、かかる問題点に鑑み、外壁目地を、テープ状の止水材を用い、屋外側からのアクセスによって施工容易に止水することができる、外壁目地の止水構造及びその形成方法を提供することを課題とする。
【課題を解決するための手段】
【０００５】
上記の課題は、テープ状の止水材が、屋外側に開く横断面コ字状にされて、外壁の目地内空間部を長手方向に延びるように設置され、該テープ状止水材の中間辺部を挟む各側辺部が目地内空間部を挟む各対向面部に粘着接合されていることを特徴とする、外壁目地の止水構造（第１発明）によって解決される。
【０００６】
この止水構造では、テープ状の止水材が、屋外からのアクセスが比較的容易な目地内空間部を挟む各対向面部に粘着接合されており、しかも、テープ状止水材は、屋外側に開く横断面コ字状にされて目地内空間部に設置されているので、テープ状止水材を屋外からのアクセスによって従来の場合よりも容易に施工することができる。
【０００７】
上記の第１発明の止水構造を形成する方法に制限はないが、例えば、
治具として、
目地内空間部を挟む両対向面部に対向する対の押し用部品と、
該対の押し用部品を接近離反可能に連結するピンと、
前記押し用部品間に進出して押し用部品を離反方向に相対変位させる開き用部品と
が備えられ、
前記ピンに開き用部品が回動自在に連結され、あるいは、連結できるようになされており、
開き用部品は、押し用部品間に進出する開き用本体部と、開き用本体部を押し用部品間に進出させるテコレバー部とを備え、該テコレバー部を前記ピンを中心に回動操作することで、開き用本体部が押し用部品間に進出して押し用部品が離反方向に相対変位するようになされている、隙間で開く治具を用い、
テープ状止水材を屋外側に開くコ字状にして外壁の目地内空間部に設置した後、
前記目地内空間部のテープ状止水材の両側辺部間に前記対の押し用部品を差し込み、しかる後、開き用部品のテコレバー部を回動操作し、開き用本体部を押し用部品間に進出させることで、テープ状止水材の両側辺部の粘着面を外壁の目地内空間部を挟む両対向面部に密着させて粘着接合することを特徴とする形成方法を採用するとよい（第２発明）。
【０００８】
この方法では、上記の治具を用いることで、テープ状止水材の両側辺部に備えられた粘着面を、狭い外壁目地内で、目地内空間部を挟む両対向面部にしっかりと押し付けて密着接合することができ、テープ状止水材で高品質の止水状態を形成することができる。しかも、上記の治具の使用により、目地内空間部のテープ状止水材の両側辺部間に対の押し用部品を差し込み、開き用部品のテコレバー部を回動操作して開き用本体部を押し用部品間に進出させる操作を行うだけでよく、施工も屋外側からのアクセスによって容易に行うことができる。
【０００９】
また、第１発明の外壁目地の止水構造を形成する方法、又は、第２発明の方法であって、
テープ状止水材として、目地内対向面部と対向することとなる両側辺部に備えられた粘着面に離型紙が取り付けられ、該離型紙が、該側辺部の幅方向の内方側において折り返されて外方側に導出された剥がし操作部を備えたものを用い、
該テープ状止水材を屋外側に開くコ字状にして外壁の目地内空間部に設置した後、屋外側から剥がし操作部を引いて離型紙を取り外し、しかる後、
テープ状止水材の両側辺部の粘着面を外壁の目地内空間部を挟む両対向面部に密着させて粘着接合することを特徴とする形成方法を採用するとよい（第３発明）。
【００１０】
この方法では、テープ状止水材の粘着面に離型紙が取り付けられているので、テープ状止水材を目地内空間部に設置する過程で、テープ状止水材の粘着面が目地内対向面部や周囲に不本意に粘着してしまうことがなく、テープ状止水材を目地内空間部に容易に設置することができる。しかも、離型紙は、テープ状止水材の側辺部の幅方向の内方側において折り返されて外方側に導出された剥がし操作部を備えているので、テープ状止水材を目地内空間部に設置した後、屋外側からのアクセスで剥がし操作部を屋外側に引いていくだけで、離型紙をテープ状止水材から容易に剥がすことができる。
【００１１】
更に、第１発明の外壁目地の止水構造を形成する方法、又は、第２発明の方法であって、
テープ状止水材として、目地内対向面部と対向することとなる両側辺部に、接触しただけでは粘着せず押し付けて密着させることで粘着する粘着面が備えられたものを用い、
該テープ状止水材を屋外側に開くコ字状にして外壁の目地内空間部に設置した後、テープ状止水材の両側辺部の粘着面を外壁の目地内空間部を挟む両対向面部に押し付け密着させて粘着接合することを特徴とする形成方法を採用するのもよい（第４発明）。
【００１２】
この方法では、テープ状止水材として、目地内対向面部と対向することとなる両側辺部に、接触しただけでは粘着せず押し付けて密着させることで粘着する粘着面が備えられたものを用いているので、テープ状止水材を目地内空間部に設置する過程で、テープ状止水材の粘着面が目地内対向面部や周囲に不本意に粘着してしまうのを防ぐことができ、しかも、設置後は、離型紙の剥がし取りなど行わずに、そのまま目地内対向面部に押し付ければよく、テープ状止水材の設置から目地内対向面部への押し付けに至る工程を能率良く行っていくことができる。
【発明の効果】
【００１３】
本発明は、以上のとおりのものであるから、外壁目地を、テープ状の止水材を用い、屋外側からのアクセスによって施工容易に止水することができる。
【発明を実施するための最良の形態】
【００１４】
次に、本発明の実施最良形態を図面に基づいて説明する。
【００１５】
本実施形態では、図１（イ）に示す外壁構造における外壁目地２を止水の対象としている。該外壁構造において、１１は鋼製柱、１２，１２は外壁パネルであり、各外壁パネル１２は、外壁面材１３の背面側に鋼製のパネルフレーム１４を備え、パネルフレーム１４，１４は柱１１の両脇に隣接状態に設置され、外壁目地２は、柱面を底面にして、外壁パネル１２，１２の外壁面材１３，１３間に形成されている。
【００１６】
図１（ロ）及び図１（ハ）はそれぞれ、テープ状止水材８を用いて上記の外壁目地２を止水状態にした二つの例を示している。
【００１７】
図１（ロ）に示す例は、テープ状止水材８として、片面全体を粘着面とするブチルテープを用いた場合のもので、該テープ状止水材８は、粘着面１５を外向きにして屋外側に開く横断面コ字状にされ、外壁目地の目地内空間部２を長手方向に延びるように設置され、中間辺部８ｂを挟む各側辺部８ａ，８ａの粘着面１５が目地内空間部２を挟む各対向面部６，６に粘着接合されることで、外壁目地２を止水状態にしている。
【００１８】
また、図１（ハ）は、テープ状止水材８が、テープ状の防水フィルム１６の片面の幅方向中間部を挟む両側に粘着面１５，１５を備えたものからなっていて、該テープ状止水材８は、粘着面１５，１５を外向きにして屋外側に開く横断面コ字状にされ、外壁目地の目地内空間部２を長手方向に延びるように設置され、中間辺部８ｂを挟む各側辺部８ａ，８ａが、中間辺部８ｂに幅方向の余裕を持たせるようにして、目地内空間部２を挟む各対向面部６，６に粘着接合され、外壁目地２を止水状態にしている。
【００１９】
図１（ロ）に示す外壁目地止水構造は、次のようにして形成されている。即ち、図３（イ−１）に示すように、テープ状止水材８として、目地内対向面部６，６と対向することとなる両側辺部８ａ，８ａの粘着面のそれぞれに離型紙１７，１７が付けられると共に、柱面に対向することとなる中間辺部８ｂの粘着面に、前記両離型紙１７，１７と独立して離型紙１８が付けられたものを用いる。そして、該テープ状止水材８を、これら離型紙１７，１７，１８を付けたまま、離型紙１７，１７，１８が外向きとなるように屋外側に開く横断面コ字状にし、屋外側から、図３（ロ−１）に示すように外壁目地の目地内空間部２に設置し、しかる後、図３（ハ）に示すように、両側辺部８ａ，８ａのみの離型紙１７，１７を剥がし取り、両側辺部８ａ，８ａの粘着面１５を目地内対向面部６，６に直接向き合わせた状態にする。なお、中間の離型紙１８は残したままにしておいてよい。
【００２０】
このように、粘着面１５に離型紙１７，１７，１８を付けたテープ状止水材８を用いることにより、テープ状止水材８が不本意な箇所に粘着させてしまうのを防ぐことができ、テープ状止水材８を目地内空間部２内の所定の適正な配置状態に容易にセットすることができる。
【００２１】
その場合に、図３（イ−２）に示すように、テープ状止水材８として、目地内対向面部６，６と対向することとなる両側辺部８ａ，８ａに備えられた離型紙１７，１７として、該側辺部８ａ，８ａの幅方向の内方側において折り返されて外方側に導出された剥がし操作部１７ａ，１７ａを備えたものを用いることにより、テープ状止水材８を外壁目地内空間部２に設置した後、剥がし操作部１７ａ，１７ａを屋外側に引いていくことで、離型紙１７，１７の剥がし取りを容易に行うことができる。
【００２２】
しかる後、目地内空間部２のテープ状止水材８の両側辺部８ａ，８ａの粘着面１５を目地内対向面部６，６に押し付けて密着させ、粘着接合する。押し付けは、種々の方法で行われてよいが、特に、図２に示すような、隙間で開く治具３を用いるとよい。
【００２３】
この治具３は、対の押し用部品４，４と開き用部品５とを備えていて、各押し用部品４は、目地内対向面部６，６に対向する押し用本体部４ａと、開き用部品５を押し用本体部４ａ，４ａ間に導き入れるための傾斜ガイド部４ｂとを一体に備えた「く」の字形の板状品からなっている。
【００２４】
そして、両押し用部品４，４は、傾斜ガイド部４ｂ，４ｂの部分において、高さ方向の三カ所をピン７…で接近離反できるように連結されており、高さ方向の中間のピン７に、開き用部品５が、押し用部品４，４間の位置において回動自在に連結されている。
【００２５】
開き用部品５は、ピン７を挟む一方の側を開き用本体部５ａとし、ピン７を挟むもう一方の側をテコレバー部５ｂとし、開き用本体部５ａは、その両側面部に開き用本体部１ａの一部としてゴム状の弾性層５ｃ，５ｃを備え、開き用本体部５ａが押し用本体部４ａ，４ａ間の外に位置して押し用本体部４ａ，４ａ間が閉じた状態から、テコレバー部５ｂをピン７を中心に回動操作し、開き用本体部５ａを傾斜ガイド部４ｂ，４ｂ間を通じて押し用本体部４ａ，４ａ間に進出させることにより、押し用本体部４ａ，４ａが開くようになされている。
【００２６】
テープ状止水材８の粘着面１５の押し付けは、上記の治具３を用い、図４及び図５に示すように、外壁の目地内空間部２に設置したテープ状止水材８の両側辺部８ａ，８ａ間に、屋外側から、対の押し用本体部４ａ，４ａを、閉じた状態にして差し込み、しかる後、図５及び図６に示すように、テコレバー部５ｂを回動操作し、弾性層５ｃ，５ｃを含む開き用本体部５ａを、傾斜ガイド部４ｂ，４ｂ間を通じて押し用本体部４ａ，４ａ間に進出させる。すると、押し用本体部４ａ，４ａが、開き用本体部５ａとそれに備えられた弾性層５ｃ，５ｃに押されて開き、テープ状止水材８の両側辺部８ａ，８ａの粘着面１５が外壁の目地内対向面部６，６に密着状態に押し付けられ、粘着接合する。これを、テープ状止水材８の長手方向に繰り返していけばよい。こうして、テープ状止水材８の両側辺部８ａ，８ａが、外壁目地内の両対向面部６，６に粘着接合されて、外壁目地２が止水状態となる。
【００２７】
このように、上記のような隙間で開く治具３を用いることで、テープ状止水材８の両側辺部８ａ，８ａに備えられた粘着面１５を、狭い外壁目地内で、目地内対向面部６，６にしっかりと押し付けて密着接合することができ、また、開き用本体部５ａを押し用本体部４ａ，４ａに進出させて開いていく過程でテープ状止水材８がズレ動くというようなこともなく、テープ状止水材８で高品質の止水状態を形成することができる。しかも、上記の治具３の使用により、目地内対向面部６，６へのテープ状止水材８の両側辺部８ａ，８ａの押し付けを屋外側からのアクセスによって容易に行うことができる。
【００２８】
一方、図１（ハ）に示す外壁目地止水構造は、次のようにして形成されている。即ち、図７（イ）（ロ）に示すように、テープ状止水材８は、テープ状の防水フィルム１６に、繊維付きブチルあるいは粉状物付きのブチルなどの、接触しただけでは粘着せず押し付けて密着させることで粘着する粘着面１５，１５を備えた粘着テープ１９，１９を取り付けたものからなっていて、このテープ状止水材８を、図７（ハ）（ニ）に示すように、離型紙なしで、屋外側から外壁目地の目地内空間部２に設置する。
【００２９】
粘着面１５，１５は、上記のように、接触しただけでは粘着せず、押し付けて密着させることで粘着する性質のものからなっているので、テープ状止水材８を目地内空間部２に設置する過程で、テープ状止水材８の粘着面１５，１５が目地内対向面部６，６や周囲に不本意に粘着してしまうことがなく、しかも、設置後は、離型紙の剥がし取りなど行う必要もない。
【００３０】
しかる後、上記の治具３を用い、同じ要領で、図８〜図１０に示すように、テープ状止水材８の両側辺部８ａ，８ａの粘着面１５，１５を目地内対向面部６，６に押し付け密着させて粘着接合する。上記の治具３によれば、粘着面１５，１５を目地内対向面部６，６にしっかりと押し付けることができて、しっかりとした粘着接合状態を形成することができる。
【００３１】
このように、上記の外壁目地止水構造では、テープ状の止水材８が、屋外からのアクセスが比較的容易な目地内空間部２を挟む各対向面部６，６に粘着接合されており、しかも、テープ状止水材８は、屋外側に開く横断面コ字状にされて目地内空間部２に設置されているので、テープ状止水材８を屋外からのアクセスによって容易に施工することができ、特に、上記のような方法によることで、施工をきわめて容易に行うことができる。
【００３２】
以上に、本発明の実施形態を示したが、本発明はこれに限られるものではなく、発明思想を逸脱しない範囲で各種の変更が可能である。例えば、テープ状止水材の種類や形式に制限はないし、目地対向面部への粘着のさせ方などについても上記の治具を用いた方法に限らず、各種方法で行われてよい。また、外壁目地の周囲構造部分の形態についても制限はない。更に、隙間で開く治具３は、対の押し用部品４，４と開き用部品５とピン７とが不可分に組み合わされた構造をしていてもよいし、対の押し用部品４，４とピン７とが不可分に組み合わされ、開き用部品５がピン７に対して着脱可能な構造となっていてもよいし、開き用部品５とピン７とが不可分に組み合わされ、対の押し用部品４，４がピン７に対して着脱可能な構造となっていてもよいし、開き用部品５がピン７に対して着脱可能で、ピン７も対の押し用部品４，４に対して着脱可能な構造となっていてもよい。また、上記の治具３には、ピン７が複数備えられているが、開き用部品５を連結するピン７のみ備えられた構造の治具に構成されていてもよい。
【図面の簡単な説明】
【００３３】
【図１】実施形態の外壁目地止水構造を示すもので、図（イ）は止水前の外壁目地を示す平面断面図、図（ロ）は止水構造の一例を示す平面断面図、図（ハ）は止水構造の他の例を示す平面断面図である。
【図２】止水構造の形成に用いる治具を示すもので、図（イ）は斜視図、図（ロ）は平面図、図（ハ）は側面図である。
【図３】図（イ−１）〜図（ハ）はそれぞれ、図１（ロ）に示す止水構造の形成において、テープ状止水材の設置方法を順次に示す平面断面図である。
【図４】図（イ）及び図（ロ）は図５及び図６とともに、目地内対向面部へのテープ状止水材の貼付け方法を順次に示す平面断面図及び側面断面図である。
【図５】図（イ）及び図（ロ）は図４及び図６とともに、目地内対向面部へのテープ状止水材の貼付け方法を順次に示す平面断面図及び側面断面図である。
【図６】図（イ）及び図（ロ）は図４及び図５とともに、目地内対向面部へのテープ状止水材の貼付け方法を順次に示す平面断面図及び側面断面図である。
【図７】図１（ハ）に示す止水構造図についてのもので、図（イ）及び図（ロ）は、使用するテープ状止水材の分解斜視図と斜視図、図（ハ）及び図（ニ）はテープ状止水材の設置方法を順次に示す平面断面図である。
【図８】図（イ）及び図（ロ）は図９及び図１０とともに、目地内対向面部へのテープ状止水材の貼付け方法を順次に示す平面断面図及び側面断面図である。
【図９】図（イ）及び図（ロ）は図８及び図１０とともに、目地内対向面部へのテープ状止水材の貼付け方法を順次に示す平面断面図及び側面断面図である。
【図１０】図（イ）及び図（ロ）は図８及び図９とともに、目地内対向面部へのテープ状止水材の貼付け方法を順次に示す平面断面図及び側面断面図である。
【符号の説明】
【００３４】
２…目地内空間部
３…隙間で開く治具
４…押し用部品
５…開き用部品
５ａ…開き用本体部
５ｂ…テコレバー部
６…目地内対向面部
７…ピン
８…テープ状止水材
１５…粘着面
１７…離型紙
１７ａ…剥がし操作部
【図１】
2006009285.tif 000003
【図２】
2006009285.tif 000004
【図３】
2006009285.tif 000005
【図４】
2006009285.tif 000006
【図５】
2006009285.tif 000007
【図６】
2006009285.tif 000008
【図７】
2006009285.tif 000009
【図８】
2006009285.tif 000010
【図９】
2006009285.tif 000011
【図１０】
2006009285.tif 000012